(57)【特許請求の範囲】
【請求項１】
スポンジと、該スポンジが洗浄作業の際に被洗浄物に接触するように支持する芯材とを備えて構成される洗浄具であって、
前記スポンジは、所定の厚みを有する略帯状に形成され、前記帯の、一端側から、幅方向の中央部付近を長手方向に延びて形成されるスリットまたは長孔を備え、
前記芯材は、棒状の把持部と、前記把持部の一端に設けられ、開閉自在の一対の挟持部材とを備え、
前記把持部が前記スリットまたは長孔に嵌り込み、前記一対の挟持部材によって前記スポンジを厚み方向に挟み込んで固定することで、外周の任意の箇所のスポンジで洗浄可能とすることを特徴とする洗浄具。
【請求項２】
前記把持部の他端には、環状または？状の係合部が形成され、該係合部は壁面等に設けられたフックに係合可能であることを特徴とする請求項１記載の洗浄具。
【請求項３】
前記一対の挟持部材には、その先端に、該挟持部材を相互に閉じた状態で係止する係止部が設けられ、
前記スポンジの他端側には、前記係止部が通る孔が形成されることを特徴とする請求項１または２記載の洗浄具。
【請求項４】
前記一対の挟持部材の相互に対向する内側面には、スポンジに噛み込む１または複数の爪を有することを特徴とする請求項１〜３の何れか１項に記載の洗浄具。
【請求項５】
前記一対の挟持部材の内、一方は前記把持部の一端から延びる剛性の板状体から成り、他方は前記把持部の一端に連なる薄肉部を介して剛性の板状体が延びて形成されることを特徴とする請求項１〜４の何れか１項に記載の洗浄具。
【請求項６】
前記スポンジの両側部は、長手方向に向けて凹凸を繰返す波面に形成されていることを特徴とする請求項１〜５の何れか１項に記載の洗浄具。
【発明の詳細な説明】
【技術分野】
【０００１】
本発明は、ジョッキやマグカップなどの有底筒状の容器の洗浄に好適に用いられる洗浄具に関する。
【背景技術】
【０００２】
上記のジョッキやマグカップは、底が深いため、手が入り難く、通常の帯状の（細長い）スポンジを差込んで洗浄することは、中々困難である。これは、スポンジは、被洗浄物の内外の底面や壁面および飲み口などに密着して汚れを擦り落すことができるものの、スポンジだけでは自己支持性が無く、底まで届かなかったり、壁面に押し当てられなかったりするためである。
【０００３】
一方、前記ジョッキやマグカップは、比較的均一な円筒に形成されるので、そこに着目して、特に居酒屋などの業務用途では、単純な柄付きたわしやスポンジを使用するのではなく、特許文献１に示されるビアジョッキ洗浄ブラシのような、略Ｕ字状のたわしやスポンジが使用されることもある。このビアジョッキ洗浄ブラシを使用することで、内外両面が一度に洗浄できて、洗浄効率を非常に高めることができ、好適である。
【０００４】
また、特許文献２は、柄付きスポンジであるが、柄の形状を工夫することで、回転方向に動かしても、柄の長さ方向に動かしても、適切に洗浄できるようにした洗浄具である。
【先行技術文献】
【特許文献】
【０００５】
【特許文献１】特開２０００−２０１８８１号公報
【特許文献２】特開２００４−５８４号公報
【発明の概要】
【発明が解決しようとする課題】
【０００６】
上述の特許文献１ではワイヤーが、特許文献２ではプラスチックの本体が、芯材となって、それぞれブラシおよびスポンジを、被洗浄物に強く押し当てることができる。しかしながら、それらのブラシおよびスポンジの部分総てが、強固に前記ワイヤーおよび本体に取付けられており、折り曲げて洗浄するようなことは困難である。たとえば、飲み口に付いた口紅を落す場合、スポンジの場合は折り曲げてその飲み口を挟み込んで綺麗に洗浄することができるが、特許文献１や特許文献２では、ブラシやスポンジが変形できず、そのような使い方はできない。
【０００７】
本発明の目的は、ジョッキなどの底の深い被洗浄物の全体を、容易かつ確実に洗浄することができる洗浄具を提供することである。
【課題を解決するための手段】
【０００８】
本発明の洗浄具は、スポンジと、該スポンジが洗浄作業の際に被洗浄物に接触するように支持する芯材とを備えて構成される洗浄具であって、前記スポンジは、所定の厚みを有する略帯状に形成され、前記帯の、一端側から、幅方向の中央部付近を長手方向に延びて形成されるスリットまたは長孔を備え、前記芯材は、棒状の把持部と、前記把持部の一端に設けられ、開閉自在の一対の挟持部材とを備え、前記把持部が前記スリットまたは長孔に嵌り込み、前記一対の挟持部材によって前記スポンジを厚み方向に挟み込んで固定することで、外周の任意の箇所のスポンジで洗浄可能とすることを特徴とする。
【０００９】
上記の構成によれば、ジョッキなどの比較的底が深い被洗浄物に帯状の（細長い）スポンジを差込み、洗浄する洗浄具において、スポンジは被洗浄物の内外の底面や壁面および飲み口などに密着して汚れを擦り落すことができるものの、スポンジだけでは自己支持性が無く、底まで届かなかったり、壁面に押し当てられなかったりするので、本発明の洗浄具では、スポンジを挟み込んで支持する芯材を設ける。
【００１０】
そして、スポンジは、所定の厚みを有する略帯状に（前記細長く）形成され、前記帯の、一端側から、幅方向の中央部付近には、長手方向に延びるスリットまたは長孔を設ける。これに対応して、芯材は、棒状の把持部の一端に、開閉自在の一対の挟持部材を設けて構成する。
【００１１】
したがって、把持部がスリットまたは長孔に嵌り込み、一対の挟持部材によってスポンジを厚み方向に挟み込んで固定することで、スポンジは芯材で支持されて、外周の任意の箇所をジョッキの底や側面の被洗浄箇所に押し当てることが可能になるとともに、把持部をスリットまたは長孔から剥き出した状態では、一端側のスポンジは任意に屈曲させることができ、飲み口を内外両面から洗ったりすることができる。これによって、前記ジョッキなどの底の深い被洗浄物の全体を、容易かつ確実に洗浄することができる。
【００１２】
また、本発明の洗浄具では、前記把持部の他端には、環状または？状の係合部が形成され、該係合部は壁面等に設けられたフックに係合可能であることを特徴とする。
【００１３】
上記の構成によれば、環状や？状の係合部に紐を掛けたり、或いは前記スリットまたは長孔から該係合部を剥き出すことで、壁面等に設けられたフックに、該洗浄具を吊しておくことができる。
【００１４】
さらにまた、本発明の洗浄具では、前記一対の挟持部材には、その先端に、該挟持部材を相互に閉じた状態で係止する係止部が設けられ、前記スポンジの他端側には、前記係止部が通る孔が形成されることを特徴とする。
【００１５】
上記の構成によれば、一対の挟持部材が、スポンジを挟み込んだ状態で開かないようにするには、把持部の一端にそのような手段を設けることも可能であるが、本発明では、挟持部材の先端に、相互に係止する係止部、たとえば茸状の突起と、それが嵌り込む孔とのような手段を設ける。
【００１６】
したがって、簡単な構成で、スポンジを容易に係止することができるとともに、スポンジの孔に前記突起などが通っていることで、スポンジが長手方向にズレたり、スポンジが芯材における前記把持部の一端を基点として回転してしまうようなことを防止することができる。
【００１７】
また、本発明の洗浄具では、前記一対の挟持部材の相互に対向する内側面には、スポンジに噛み込む１または複数の爪を有することを特徴とする。
【００１８】
上記の構成によれば、スポンジが長手方向にズレたり、スポンジが芯材における前記把持部の一端を基点として回転してしまうようなことを防止することができる。
【００１９】
さらにまた、本発明の洗浄具では、前記一対の挟持部材の内、一方は前記把持部の一端から延びる剛性の板状体から成り、他方は前記把持部の一端に連なる薄肉部を介して剛性の板状体が延びて形成されることを特徴とする。
【００２０】
上記の構成によれば、一対の挟持部材は、薄肉部を有する他方を、全体が剛性の一方に対して開閉することで、スポンジの脱着を行うことになる。
【００２１】
したがって、薄肉部以外の挟持部材の剛性を上げて、曲り難くすることができ、スポンジの把持が確実である。
【００２２】
また、本発明の洗浄具では、前記スポンジの両側部は、長手方向に向けて凹凸を繰返す波面に形成されていることを特徴とする。
【００２３】
上記の構成によれば、スポンジの両側部は、面一ではなく、波面に形成されているので、該洗浄具を長手方向に往復することで、被洗浄箇所への接触圧を変化することができ、汚れが落ち易くなる。
【００２４】
好ましくは、前記スポンジの他端側は、先端になるに連れて幅が狭くなる凸状に形成されていることを特徴とする。
【００２５】
上記の構成によれば、その先端に圧を集中して、汚れを落し易くなる。
【発明の効果】
【００２６】
本発明の洗浄具は、以上のように、ジョッキなどの比較的底が深い被洗浄物を洗浄する洗浄具において、帯状のスポンジを内部に埋め込んだ芯材によって支持するとともに、その芯材を、棒状の把持部と、その先に設けられる開閉自在の一対の挟持部材とを備えて構成し、スポンジに形成したスリットまたは長孔に把持部を埋込み、スポンジの残りの部分を挟持部材で挟み込む。
【００２７】
それゆえ、スポンジは芯材で支持されて、外周の任意の箇所をジョッキの底や側面の被洗浄箇所に押し当てることが可能になるとともに、把持部をスリットまたは長孔から剥き出した状態では、一端側のスポンジは任意に屈曲させることができ、飲み口を内外両面から洗ったりすることができる。これによって、前記ジョッキなどの底の深い被洗浄物の全体を、容易かつ確実に洗浄することができる。
【図面の簡単な説明】
【００２８】
【図１】本発明の実施の一形態に係る洗浄具の分解斜視図である。
【図２】前記洗浄具の一使用例を示す斜視図である。
【図３】前記洗浄具の他の使用例を示す斜視図である。
【発明を実施するための形態】
【００２９】
図１は、本発明の実施の一形態に係る洗浄具１の分解斜視図である。この洗浄具１は、大略的に、スポンジ２と、該スポンジ２が洗浄作業の際に被洗浄物に接触するように支持する芯材３とを備えて構成される。
【００３０】
スポンジ２は、所定の厚みＨを有する略帯状に形成される。スポンジ２には、前記略帯状の一端２１側から、幅Ｗ方向の中央部付近を長手Ｆ方向に延びて、スリット２３が形成される。スポンジ２の他端２２側には、その厚みＨ方向に穿設される挿通孔２４が形成される。スリット２３の基端には、取出し孔２７が形成される。また、スポンジ２の両側部２５，２６は、長手Ｆ方向に向けて凹凸を繰返す波面に形成されている。この波面は、両側部２５，２６間で、前記凹凸の位相が相互に半周期ずれて形成される。さらにまた、スポンジ２の他端２２側は、先端になるに連れて幅が狭くなる凸状に形成されている。
【００３１】
これに対して、芯材３は、大略的に、棒状の把持部３１と、把持部３１の一端３１１に設けられ、開閉自在の一対の挟持部材３２とを備えて構成される。把持部３１の他端３１２には、紐を掛けたり、或いは壁面などに取付けられたフックに該洗浄具１を吊しておくことを可能にする環状または？状（図１では環状）の係合部３３が形成されている。係合部３３は、前記厚みＨ方向の面でリングを形成しており、外径Ｒは前記スポンジ２の厚みＨ以下とされる。
【００３２】
そして、開閉を行う一対の挟持部材３２の内、一方は把持部３１の一端３１１から延びる剛性の板状体３２１であり、他方は把持部３１の一端３１１に連なる薄肉部３２３を介して剛性の板状体３２２が延びて形成される。一方の板状体３２１の略先端３２１１には茸状の突起３４が形成され、他方の把持部３２の略先端３２２１にはそれが嵌り込む孔３５が形成され、これらは相互に係止する係止部を構成するとともに、前記突起３４は挿通孔２４を挿通して孔３５に係止する。さらに、前記一対の挟持部材３２の板状体３２１，３２２の相互に対向する内側面には、スポンジ２に噛み込む１または複数の爪３６が形成される。
【００３３】
上述のように構成される洗浄具１において、シート状のスポンジから型抜きで作成されたスポンジ２と、樹脂成型で作成された芯材３とは、図１で示すように、互いに分離した状態から、参照符号Ｐで示すように、スリット２３の部分に、板状体３２２が挿通されるとともに、続いて、把持部３１、係合部３３および薄肉部３２３が嵌め込まれる。また、突起３４が挿通孔２４に挿通される。その後、突起３４が孔３５に嵌め込まれ、固着されることで、スポンジ２に芯材３は一体化される、すなわち芯材３の把持部３１および係合部３３はスポンジ２に埋め込まれ、挟持部材３２はスポンジ２を挟み込む。図２および図３は、この一体化した状態での使用状態を示す斜視図である。
【００３４】
一体化した状態では、板状体３２１，３２２の間隔Ｄがスポンジ２の厚みＨより狭いので、図２で示すように、該板状体３２１，３２２もスポンジ２の内側に嵌り込み、上述のように突起３４が孔３５に係止するとともに、爪３６がスポンジ２に噛み込む。これによって、簡単な構成で、スポンジ２を容易に係止することができるとともに、スポンジ２が長手Ｆ方向にズレたり、スポンジ２が芯材３における把持部３１の一端３１１を基点として回転してしまうようなことを防止することができる。
【００３５】
ここで、一対の挟持部材３２が、スポンジ２を挟み込んだ状態で開かないようにするには、把持部３１の一端に、そのような手段を設ける、たとえば挟持部材３２側に進退する筒を被せることでも可能である。しかしながら、挟持部材３２の先端３２１１，３２２１に、突起３４と孔３５とから成る係止部を設けることで、容易に構成することができる。たとえば、孔３５の部分には入れ子を設け、芯材３を厚み方向に（嵌め込んだスポンジ２の厚みＨ方向に対応）型抜きすることで、薄肉部３２３、爪３６および環状の係合部３まで、一体で形成することができる。また、スリット２３の部分も、完全に溝（長孔）として切り抜かれていてもよいが、スリット（切れ込み）だけを形成することで、芯材３を少しでも隠し、ジョッキ５などの被洗浄物に当るのを防ぐことができる。
【００３６】
ここで、突起３４は、上述のように、孔３５に固着せずに、嵌め合わせだけで固定するようにしてもよい。そうすることで、個別に洗浄や消毒、或いは古くなったスポンジ２の交換を行うことができる。また、スポンジ２だけを使用してのジョッキなどの洗浄も可能になる。特に食物残渣の除去に有効である。
【００３７】
このように構成することで、ジョッキ５などの比較的底５１が深い被洗浄物に帯状の（細長い）スポンジ２を差込み、洗浄する洗浄具１において、スポンジ２は被洗浄物の内外の底５１の面や側面５２および飲み口５３などに密着して汚れを擦り落すことができるものの、スポンジ２だけでは自己支持性が無く、底５１まで届かなかったり、側面５２に押し当てられなかったりするのに対して、本実施形態の洗浄具１は、スポンジ２を厚みＨ方向に挟み込んで支持する芯材３を設けているので、スポンジ２の外周の任意の箇所を、ジョッキ５の底５１や側面５２の被洗浄箇所に強く押し当てることが可能になる。また、該洗浄具１を、図２で示すようにジョッキ５に差込んだ状態で、使用者は、係合部３３の部分をスポンジ２を介して摘まんで、該洗浄具１を回転させて、ジョッキ５の内側を一気に洗うことができる。さらにまた、図３で示すように、把持部３１、特に係合部３３をスリット２３から剥き出した状態では、一端２１側のスポンジは任意に屈曲させることができ、飲み口５３を内外両面から洗ったりすることができる。このようにして、ジョッキ５などの底５１の深い被洗浄物の全体を、容易かつ確実に洗浄することができる。
【００３８】
また、本実施形態の洗浄具１では、把持部３１の他端３１２には、フックに係合する係合部３３が形成されているので、紐を掛けたり、或いは図３のようにスリット２３から該係合部３３を剥き出すことで、壁面などに設けられたフックに、該洗浄具１を吊しておくことができる。その係合部３３の取出しを容易にするために、スリット２３の一端２１側には、使用者の指を差し入れる取出し孔２７が形成されている。
【００３９】
さらにまた、本実施形態の洗浄具１では、一対の挟持部材３２は、薄肉部３２３を有する他方３２２を、全体が剛性の一方３２１に対して開閉することで、スポンジ２の脱着を行うので、薄肉部３２３以外の挟持部材の剛性を上げて、曲り難くすることができ、スポンジ２の把持が確実である。
【００４０】
また、本実施形態の洗浄具１では、スポンジ２の両側部２５，２６は、面一ではなく、波面に形成されているので、該洗浄具１を、たとえば図２の状態で長手Ｆ方向に往復することで、被洗浄箇所への接触圧を変化することができ、汚れが落ち易くなる。また、両側部２５，２６間で凹凸の位相が相互に半周期ずれて形成されることで、該洗浄具１を半回転以上回転させることで、ジョッキ５などの内側面５２を、漏れ無く洗浄することができる。
【００４１】
さらにまた、本実施形態の洗浄具１では、スポンジ２の他端２２側は、先端になるに連れて幅が狭くなる凸状に形成されているので、その先端に圧を集中して、図２のジョッキ５の底５１などの汚れを落し易くなる。また、ワイングラスの底等、尖鋭状の被洗浄部位も、漏れ無く洗浄することができる。
【符号の説明】
【００４２】
１    洗浄具
２    スポンジ
２１    一端
２２    他端
２３    スリット
２４    挿通孔
２５，２６    側部
２７    取出し孔
３    芯材
３１    把持部
３１１  一端
３１２  他端
３２    挟持部材
３３    係合部
３２１，３２２    板状体
３２３  薄肉部
３４    突起
３５    孔
３６    爪
５    ジョッキ
５１    底
５２    側面
５３    飲み口
【図１】
0006586397.tif 000002
【図２】
0006586397.tif 000003
【図３】
0006586397.tif 000004